(57)【要約】【課題】フェンスを組立可能な各構成部材により構成し、各構成部材を互いに挿入、嵌合することにより簡易に組立自在とした簡易組立形フェンスを得る。【解決手段】簡易組立形フェンスは、上、下水平部材１、２間に複数本のフェンスロッド３を所定間隔で取付穴１ａに挿入して取付け、少なくともフェンス両端に枠部材６を連結部材４ａ、４ｂにより上、下水平部材１、２に接続し、支柱５にフェンスＦを連結部材４ａを介して接続固定するだけで簡易に組立自在に設置し得るように構成したものである。【選択図】図１
0003103118.tif 000002
【実用新案登録請求の範囲】
【請求項１】
上水平部材及び下水平部材に対し両水平部材間に複数のフェンスロッドを所定間隔に設けたフェンスと、このフェンスを地中又は床面に固定するための支柱とを備え、フェンスロッドは上、下水平部材に設けた取付穴に遊嵌状に挿入、嵌合し、上下水平部材を少なくともフェンス両端位置で枠部材に連結部材を介して各部材の端末を接続して連結し、フェンスは連結部材を介して支柱に嵌合して固定され、フェンス及び支柱を一体に組立て構成した簡易組立形フェンス。
【請求項２】
前記フェンスロッドの長さを上、下水平部材の中空部上端面と下端面間の寸法より上、下水平部材の内径直径の１／３短く設定したことを特徴とする請求項１に記載の簡易組立形フェンス。
【請求項３】
前記上、下水平部材、フェンスロッド、支柱、枠部材の各主要構成部材の材質をステンレスとしたことを特徴とする請求項１又は２に記載の簡易組立形フェンス。
【考案の詳細な説明】
【技術分野】
【０００１】
この考案は、フェンス部材としてパイプ、ロッドを用いた簡易組立形フェンスに関する。
【背景技術】
【０００２】
フェンスの種類には、一般道路で車道と人道を区別し、事故を防止するための道路用フェンス、一般家庭のベランダ等に設けられる落下防止用フェンス、庭や土地外周を区分するためのフェンス、あるいは高層ビルや各種施設、設備、装置の工事中の足場用フェンスなど種々の用途のフェンスが用いられている。これらの各種フェンスのうち事故防止を主目的とするフェンスは、パイプ、ロッドを用いて形成する際に各部材の接合部を溶接により一体に強固に連結して一定長さ単位に形成されている。
【０００３】
この他にも特許文献１による「フェンス一体型の道路防護柵」のように、事故防止及び投げ物等防止を目的とするフェンスも知られている。このフェンスは防護柵とフェンスを一定間隔に立てた支柱を共通に利用して両部材を一体に構成したものであり、フェンスは支柱に対しその両端の押縁をボルト止めされ、支柱の下半部のフランジ部には高欄パイプがボルト止めされている。
【０００４】
一方、一般家庭のベランダあるいは庭、土地外周を区分するためのフェンスは、上記道路の防護フェンスのように事故防止を主目的とするのではなく、境界の区分、ベランダからの落下防止用安全柵として設けられるものである。従って道路の防護フェンスのように各部材の接合部を溶接で強力に一体に連結する程の構造でなくてもよい場合であっても、従来からの安全に対する配慮から一体接合構造でなければならないとして一体接合構造のフェンスが多く採用されている。
【０００５】
しかし、上記理由から必ずしも一体接合構造でなくてもよい場合は、簡易組立形フェンスを採用してもよいにも拘わらず、これまでそのような提案はなされたことがない。
【特許文献１】特開２００１−３４８８２８号公報
【考案の開示】
【考案が解決しようとする課題】
【０００６】
この考案は、上記の問題に留意して、フェンスを組立可能な各構成部材により構成し、各構成部材を互いに挿入、嵌合することにより簡易に組立自在とした簡易組立形フェンスを提供することを課題とする。
【課題を解決するための手段】
【０００７】
この考案は、上記の課題を解決する手段として、上水平部材及び下水平部材に対し両水平部材間に複数のフェンスロッドを所定間隔に設けたフェンスと、このフェンスを地中又は床面に固定するための支柱とを備え、フェンスロッドは上、下水平部材に設けた取付穴に遊嵌状に挿入、嵌合し、上下水平部材を少なくともフェンス両端位置で枠部材に連結部材を介して各部材の端末を接続して連結し、フェンスは連結部材を介して支柱に嵌合して固定され、フェンス及び支柱を一体に組立て構成した簡易組立形フェンスとしたのである。
【０００８】
上記の構成としたこの考案の簡易組立形フェンスは、各構成部材を全て１つずつ互いに挿入、嵌合することにより簡易に組立自在である。上、下水平部材は必要長さに予め切断され、フェンスロッドを挿通するための取付穴を設けておく。フェンスロッドを上、下水平部材の取付穴に挿入、嵌合し、かつ少なくともフェンス両端には枠部材を連結部材を介して上、下水平部材に接続することによりフェンスは組立てられる。そして、このフェンスを連結部材を介して支柱に連結固定すればフェンスが設置される。各連結部材にはねじボルトのような固定手段を設けておけば、これにより組立てられたフェンスは簡易に一体に固定できる。
【考案の効果】
【０００９】
この考案の簡易組立形フェンスは、上下水平部材、フェンスロッド、枠部材、支柱を取付穴に挿入、又は連結部材を介して嵌合、固定するだけで一体に組立自在に構成したから、従来のように上下水平部材とフェンスロッド、枠部材とを溶接により固定する必要がなく、従って溶接装置、溶接作業が省略され、簡易に組立てるだけで経済的コストでフェンスを形成し、設置できるという利点が得られる。
【考案を実施するための最良の形態】
【００１０】
以下、この考案の実施の形態について図面を参照して説明する。図１は実施形態の簡易組立形フェンスの全体概略側面図である。図示のように、簡易組立形フェンスは、上水平部材１と下水平部材２とを互いに平行に配置した両部材間に複数のフェンスロッド３を所定間隔（例えば７〜１０ｃｍ）に設けてフェンスＦを形成し、このフェンスＦを地中又は床面に固定するための支柱５を備えている。フェンスＦは、必要な強度を確保し、かつ一体に組立できるようにするため、フェンスロッド３の所定複数本数毎に１つ、少なくとも両端に１つずつの枠部材６を有し、中間の枠部材６は上、下水平部材１、２に対しＴ字状の連結部材４ａ、両端の枠部材６はエルボ形の連結部材４ｂでそれぞれ連結されている。
【００１１】
なお、上、下水平部材１、２、及び支柱５、枠部材６はそれぞれ中空のステンレスパイプが用いられ、図示の例では大略の直径３ｃｍ程度、肉厚約１ｍｍの高強度のものである。上、下水平部材１、２には互いに対向する面に上記所定間隔でフェンスロッド３を挿入するための取付穴１ａが複数箇所設けられている。又、フェンスロッド３も中空のステンレス棒が用いられ、直径約１ｃｍ程度の大きさであり、連結部材４ａ、４ｂはそれぞれ硬質のプラスチック材が用いられている。上、下水平部材１、２間の高さＨはパイプ中心間で約１ｍであり、支柱５は地面又は床面から約５〜１０ｃｍ程度の位置となるように下端が埋設又は取付けられる。フェンスＦの長さは任意であり、図示の例では２〜３ｍ程度のものを示しているが、設置される場所によって適宜長さに設定される。
【００１２】
又、図示の例では支柱５は４本設けているが、両端の支柱５は必ずしも必要でなく、フェンス長さが短い場合は中央寄りの２本だけでもよい。フェンスＦの長さが、図示の例より長くなり、１０ｍ以上に長くなるときは、上、下水平部材１、２は、例えば５ｍ位いを最長とし、複数本の上、下水平部材１、２をＴ字形の連結部材４ａで連結するとよい。さらに、上、下水平部材１、２、支柱５、枠部材６を連結部材４ａ、４ｂのいずれかで互いに連結する場合、図３の断面に示すように、それぞれの連結部材４ａ、４ｂに適宜位置でねじ穴を設け、ねじボルト７を螺合して各部材同士を固定する。
【００１３】
上記フェンスロッド３、３．．．の長さは、図２に示すように、上、下水平部材の内部に取付穴１ａを介して両端を挿入した状態で下端が下水平部材２の内部下端面に当接し、上端が上水平部材１の内部上端面より直径の１／３程度の隙間ができる程度とする。これはフェンスロッド３、３．．．の長さが、切断加工精度を厳密に管理しない場合、若干の不揃いが生じても、特定のフェンスロッドが長過ぎて組立に不都合が生じないようにし、かつ取付穴１ａに挿入された後は簡単には抜けないようにするためである。なお、図示のフェンスロッド３は丸棒を採用し、取付穴１ａも円形であるから、このフェンスロッド３を手で握って回すとロッド３は回転する。取付穴１ａに対しフェンスロッド３の直径は若干小さく、遊嵌状に挿入できるようにしているからである。
【００１４】
しかし、フェンスロッド３が回転しないように挿入した場合、例えば図４に示すように、フェンスロッド３の少なくとも片側端（図示の例では上端）を多角形（図示の例は６角形であるが、角数は任意）に形成し、かつ取付穴１ａも若干大きい寸法の多角形として挿入すれば、回転を防止することができる。この他にも図示省略しているが、フェンスロッド３の片側端、取付穴それぞれの形状を楕円形としてもよい。なお、図示省略しているが、中空パイプの下水平部材２には適当な位置、間隔で複数箇所に小さな水抜き穴が設けられている。
【００１５】
フェンスＦを形成する部材のうち、上、下水平部材１、２に対しフェンスロッド３は、上、下水平部材１、２に設けた取付穴１ａに挿入し、枠部材６、６を上、下水平部材１、２に連結部材４ａ、４ｂを介して組立てることによりフェンスＦは形成されるが、この場合フェンスロッド３は取付穴１ａに挿入されるだけであって、組立後取付穴１ａの周辺を溶接することは省略される。但し、水平部材１、２、枠部材６、６、支柱５を互いに組立して固定する際には、連結部材４ａ、４ｂのねじボルト７を締付けることにより強固に各部材が互いに固定される。このため、フェンスＦは簡易に組立てるだけで形成され、溶接工事が不要なため、溶接設備も必要がなく、当然溶接作業も不要である。ねじボルト７は各部材を強固に固定できるものであれば何でもよい。
【００１６】
図５に実施形態の簡易組立形フェンスの適用例を示す。（ａ）図はフェンスを直線状に長く設ける場合であり、（ｂ）図はコーナで直角に折れ曲って設ける場合を示す。この他にも複雑に折れ曲った場所にも連結部材４ｂと上、下水平部材１、２の長さを適宜組合せることにより適合する形状のフェンスを設計することも容易である。
【００１７】
図６に上記フェンスＦの応用例として門扉Ｄに適用した例を示す。門扉Ｄは、フェンスＦと同様に、平行な上、下水平部材１、２の間に複数本のフェンスロッド３を挿入し、枠部材６、６を外側に設けて４つの連結部材４ｂにより上、下水平部材１、２に連結して形成されている。フェンスＦのように支柱５は設けず、その代わり側壁Ｗ（又は側板、側支柱）に取付ヒンジ８、８を設けて垂直に保持し、水平に回転自在に取付ける。９は他方の側壁Ｗに設けた当り金具である。この当り金具９には一般に簡単なレバー状の鍵を設けるとよい。
【産業上の利用可能性】
【００１８】
この考案の簡易組立形フェンスは、パイプ、ロッド、連結部材を組立てるだけで簡易に組立自在であるから、一般家庭のベランダ、庭、土地外周、通路、道路等区分け、仕切り、安全確保を必要とする全ての場所に広く設置して利用可能である。
【図面の簡単な説明】
【００１９】
【図１】実施形態の簡易組立形フェンスの全体概略構成図
【図２】実施形態の簡易組立形フェンスの部分断面図
【図３】同上のフェンスの連結部材での部分断面図（（ａ）Ｔ字形、（ｂ）エルボ形）
【図４】フェンスロッドの変形例の（ａ）概略図、（ｂ）部分拡大斜視図
【図５】簡易組立形フェンスの適用例の部分斜視図（（ａ）直線形、（ｂ）コーナ形）
【図６】フェンスの門扉への応用例の概略構成図
【符号の説明】
【００２０】
１  上水平部材
１ａ  取付穴
２  下水平部材
３  フェンスロッド
４ａ、４ｂ  連結部材
５  支柱
６  枠部材
７  ねじボルト
【図１】
0003103118.tif 000003
【図２】
0003103118.tif 000004
【図３】
0003103118.tif 000005
【図４】
0003103118.tif 000006
【図５】
0003103118.tif 000007
【図６】
0003103118.tif 000008